(57)【要約】【課題】敷設した瓦を剥ぎ取る必要のあるとき、固定釘を簡単に抜き取れる道具を提供する。【解決手段】一方向に長い金属製直管からなる円形筒状体と、円形筒状体の一端に設けられ、抜き取る釘の頭部側を挟み込むように先端が割れた割刃部４と、円形筒状体の他端側に着脱可能に設けられ、かつ円形筒状体を平面上で長手軸回りに少なくとも１８０度回転操作可能とする回転操作部材と、を備えたことを特徴とする釘抜き工具から構成される。本工具は瓦専用とは限らず木工釘用にも利用できる。【選択図】図１
0003162871.tif 000002
【実用新案登録請求の範囲】
（１）円形筒状の金属性で寸法は使用用途によって決まる、本製品は敷設した瓦の釘抜きに使用するための工具で直経が２０ｍ／ｍで長さが４００ｍ／ｍが一番適する結果になった。
（２）工具の先端部は釘を挟み込む割刃があり、刃先から３０ｍ／ｍの箇所に付属の曲り梃子金具を差し込む穴を設ける、尚後部にはドライバ−を差し込む穴と６角自在スパナ−が使えるようにした。
（３）本工具は瓦専用とは限らず、木工用にも利用できる、壁の中など狭い場所に挿入して使えるので便利である、
【考案の詳細な説明】
【産業上の利用分野】
本考案は、敷設した瓦を剥ぎ取る必要のあるとき固定釘を簡単に抜き取る道具である。
【背景技術】従来この種の工事には抜こうとする釘の上に重なる上部の瓦を金梃子やバ−ルで持ち上げ、その隙間にバ−ルを挿入して釘鍔を左右小刻みに動かして頭部を切り取るか瓦を割って剥ぐしか方法がなく労力と無駄な時間を費やしたものである、特に最近の瓦は各社防災に重点をおいて製作してあるためこじ開け難く尚更作業が困難になった。
【考案が解決しょうとする課題】
従来の技術て述べたように工事順序は同じく上部の瓦を金梃子やバ−ルで２５〜３０ｍ／ｍ持ち上げる、そこで本考案の筒形バ−ルを挿入釘鍔をキヤッチしたら左向きに回転させる（注）左に回す理由は、右に回せばてこ支点に掛る重力が瓦の薄い部分に荷重するため、時には割れることがある。尚工具後部をやや左にずらせて回転すれば瓦の左側は丸みの山になっているので強度があり殆ど破損させることはない。
【課題を解決するための手段】
上記目的を解決するため本考案が発揮する回転式の釘抜きは従来の梃子式バ−ルとは根本的に発想を異にした道具で狭い場所の不可能な作業を可能にした。
【実施例】施工図面の１図は瓦に打ってある釘の位置を示す、先ず２図のように重なる上部の瓦を金てこでこじ開け隙間を作る、そこで本工具を挿入し釘の鍔を挟みドライバ−かスパナ−で回転させる、３図は抜き取った状態を示してある、４図は巻取った釘は此のようになっている。
５図は次の工程に使用する工具の組み立図である、６図の如く剥ぎ取ろうとする瓦の下に挿入し瓦桟に先端が当たったら左右どちらかに半回転させる、このとき曲がりてこは瓦の底部を持ち上げることになる、
７図に示すように瓦の突起部が瓦桟より外れたら引き抜ける状態になる。
瓦を剥ぎ取るには釘を抜いただけでは簡単に抜けて来ない、それは、ずれ防止のため突起部が瓦桟にしっかり引っ掛けてあるからである、本考案の工具は一個で特殊な梃子の役目まで果たす設計になっている。
【考案の効果】
この工具を使って施工する工事は災害で被った瓦の葺き替え時に効果を表す、昨今太陽光発電が奨励され一般家庭にも急速に普及し需要が増してきた、この工事に当たって例を挙げれば瓦屋根に４キロワットの太陽パネルを敷設するとすれば架台支持部の瓦剥ぎは約７０枚の数になる、これを従来の工法と比較すれば時間も労力も半減出来る。
【図面の簡単な説明】
0003162871.tif 000003
0003162871.tif 000004
0003162871.tif 000005
【手続補正書】
【提出日】平成22年6月29日(2010.6.29)
【手続補正１】
【補正対象書類名】実用新案登録請求の範囲
【補正対象項目名】全文
【補正方法】変更
【補正の内容】
【実用新案登録請求の範囲】
【請求項１】
一方向に長い金属製直管からなる円形筒状体と、 円形筒状体の一端に設けられ、抜き取る釘の頭部側を挟み込むように先端が割れた割刃部と、 円形筒状体の他端側に着脱可能に設けられ、かつ円形筒状体を平面上で長手軸回りに少なくとも１８０度回転操作可能とする回転操作部材と、を備えたことを特徴とする釘抜き工具。
【請求項２】
回転操作部材は細長棒からなり、 円形筒状体には、細長棒を円形筒状体の径方向に向けて差し込ませるように円形筒状体を径方向に貫通した差し込み穴が形成されたことを特徴とする請求項１記載の釘抜き工具。
【請求項３】
回転操作部材は自在回転操作部材であり、 円形筒状体の他端には、自在回転操作部材と嵌合状に係合する係合部が形成されたことを特徴とする請求項１又は２記載の釘抜き工具。
【請求項４】
釘抜き工具は、瓦の釘抜きに使用され、 円形筒状体には、円形筒状体を釘を抜いた瓦と瓦下地板との間に挿入した状態で該円形筒状体を軸回りに回転することにより、瓦のずれ防止用の突起部を瓦桟から外すように瓦を持ち上げる持ち上げ手段が組み付けられることを特徴とする請求項１ないし３のいずれかに記載の釘抜き工具。
【請求項５】
持ち上げ手段は、円形筒状体の外周面から外側に向けて突出して着脱可能にセットされる梃子金具を含むことを特徴とする請求項４記載の釘抜き工具。
【手続補正２】
【補正対象書類名】明細書
【補正対象項目名】全文
【補正方法】変更
【補正の内容】
【考案の詳細な説明】
【技術分野】
【０００１】 本考案は、釘抜き工具に関する。
【背景技術】
【０００２】  従来、敷設した瓦を剥ぎ取る工事では、抜こうとする釘の上に重なる上部の瓦を金梃子やバールで持ち上げ、その隙間にバールを挿入して釘鍔を左右小刻みに動かして頭部を切取るか瓦を割って剥ぐしか方法がなかった。
【考案の概要】
【考案が解決しようとする課題】
【０００３】 従来の工事は、労力と無駄な時間を費やすものであった。特に最近の瓦は各社防災に充填をおいて製作してあるためこじ開け難く、尚更作業が困難になった。
【課題を解決するための手段】
【０００４】 上記課題を解決するため本考案は、一方向に長い金属製直管からなる円形筒状体と、円形筒状体の一端に設けられ、抜き取る釘の頭部側を挟み込むように先端が割れた割刃部４と、円形筒状体の他端側に着脱可能に設けられ、かつ円形筒状体を平面上で長手軸回りに少なくとも１８０度回転操作可能とする回転操作部材と、を備えたことを特徴とする釘抜き工具から構成される。【０００５】 また、回転操作部材は細長棒からなり、円形筒状体には、細長棒を円形筒状体の径方向に向けて差し込ませるように円形筒状体を径方向に貫通した差し込み穴が形成されたこととしてもよい。細長棒は例えばドライバー等を利用できる。【０００６】 また、回転操作部材は自在回転操作部材であり、円形筒状体の他端には、自在回転操作部材と嵌合状に係合する係合部１が形成されたこととしてもよい。係合部は、例えば、六角ナットで形成される。【０００７】 また、釘抜き工具は、瓦の釘抜きに使用され、円形筒状体には、円形筒状体を釘を抜いた瓦と瓦下地板との間に挿入した状態で該円形筒状体を軸回りに回転することにより、瓦のずれ防止用の突起部を瓦桟から外すように瓦を持ち上げる持ち上げ手段が組み付けられることとしてもよい。【０００８】 また、持ち上げ手段は、円形筒状体の外周面から外側に向けて突出して着脱可能にセットされる梃子金具を含むこととしてもよい。円形筒状体には、例えば、棒状の梃子金具を差し込む差し込み孔を形成してもよい。
【考案の効果】
【０００９】 本考案では、従来の梃子式バールとは根本的に発想を異にしており、工具を狭い場所に挿入して使えるので便利である。この工具を使って施工する工事は災害で被った瓦の葺き替え時に効果を表す。また、昨今太陽光発電が奨励され一般家庭にも旧居に普及し需要が増してきた。この工事に当たって例を挙げれば瓦屋根に４キロワットの太陽パネルを敷設するとすれば架台支持部の瓦剥ぎは約７０枚の数になる。これを従来の工法と比較すれば時間も労力も半減出来る。
【図面の簡単な説明】
【００１０】
【図１】本考案工具全体図である。
【図２】各部分の働きを示す図及び付属する曲がり梃子の説明図である。
【図３】瓦を止めてある釘の位置を示す説明図である。
【図４】瓦を剥がす順序の説明図である。
【図５】釘の抜き取り説明図である。
【図６】巻き取った釘の状態を示す説明図である。
【図７】曲がり梃子をセットした図である。
【図８】梃子金具を使って持ち上げて瓦桟より突起部をはずす工程を示す説明図である。
【図９】瓦が浮いて瓦が抜ける状態を示す説明図である。
【考案を実施するための形態】
【００１１】 本考案は、例えば、瓦の釘抜き及び抜き難い箇所の木工釘抜きとして使用できる釘抜き工具である。本実施形態では、釘抜き工具は、例えば、敷設した瓦を剥ぎ取る必要のあるとき固定釘を抜き取る例で説明する。なお、本工具は瓦専用とは限らず、木工用にも利用できる。例えば、本工具を壁の中など狭い場所に挿入して使えるので便利である。
【００１２】 釘抜き工具の円形筒状体は、金属製で寸法は使用用途によって決まる。例えば、敷設した瓦の釘抜きに使用するための工具としては、直径が２０ｍｍで、長さが４００ｍｍが一番適する結果になった。工具の先端部は釘を挟み込む割刃４がある。刃先から３０ｍｍの箇所には、付属の曲がり梃子金具を差し込む曲がり梃子差し込み穴３が設けられる。尚、後部にはドライバーを差し込む穴２と６角自在スパナーの係合部１が形成されている。ドライバーやスパナーは回転操作部材であり、筒形バールのような釘抜き工具の割刃４に挿入釘鍔をキャッチさせたらドライバーやスパナーを使って工具を回転させて、釘を抜くことができる。本考案が発揮する回転式の釘抜きは、従来の梃子式バールとは根本的に発想を異にした道具で狭い場所での不可能な作業を可能にした。
【００１３】 図３は瓦に打ってある釘の位置を示す。施工の際には、図４のように重なる上部の瓦を金梃子やバールで２５〜３０ｍｍ持ち上げてこじ開け隙間を作る。そこで本工具を挿入し、釘の鍔を挟みドライバーかスパナーで回転させる。本実施形態では、図４の矢視のように左向きに回転させる。左に回す理由は、右に回せばてこ支点にかかる重力が瓦の薄い部分に荷重するため、時には割れることがある。尚、工具後部をやや左にずらせて回転すれば瓦の左側は丸みの山になっているので強度があり殆ど破損させることはない。図５は、釘を抜き取った状態を示してある。図６に示すように、巻き取った釘はこのようになっている。
【００１４】 図７に示すように、瓦から釘をとった後の次の工程に使用する際には、工具に曲がり梃子をセットして組み立てる。図８の如く、工具を剥ぎ取ろうとする瓦の下に挿入させ瓦桟に先端が当たったら左右どちらかに半回転させる。このとき曲がり梃子は瓦の底部を持ち上げることになる。そして、図９に示すように瓦の突起部が瓦桟より外れたら引き抜ける状態になる。瓦を剥ぎ取るには釘を抜いただけでは簡単に抜けて来ない。それは、ずれ防止のため突起部が瓦桟にしっかり引っ掛けてあるからである。本実施形態の工具では、一個で瓦を剥ぎ取る特殊な梃子の役目まで果たす設計になっている。
【符号の説明】
【００１５】 １  係合部  ２  ドライバー差し込み穴  ３  曲がり梃子差し込み穴  ４  割刃
【産業上の利用可能性】
【００１６】  本考案は、敷設した瓦を剥ぎ取る必要のあるとき固定釘を簡単に抜き取れる道具である。
【手続補正３】
【補正対象書類名】図面
【補正対象項目名】全図
【補正方法】変更
【補正の内容】
【図１】
0003162871.tif 000006
【図２】
0003162871.tif 000007
【図３】
0003162871.tif 000008
【図４】
0003162871.tif 000009
【図５】
0003162871.tif 000010
【図６】
0003162871.tif 000011
【図７】
0003162871.tif 000012
【図８】
0003162871.tif 000013
【図９】
0003162871.tif 000014